(57)【要約】【課題】ゲル状粒子からなる担体を担体収容槽に一旦収容し、この担体収容槽から担体が混入した水を担体移送ポンプを用いて目標の生物反応槽まで移送する際に、ゲル状粒子からなる担体を担体収容槽に収容する際の作業性を良好にできる担体供給装置を提供すること。【解決手段】ゲル状粒子からなる担体を一時的に収容する担体収容槽１と、担体収容槽１に担体を移送するための水の供給を行う最終沈殿池Ｓ３に設けた給水ポンプＰ１と、担体収容槽１に収容された担体を生物反応槽Ｓ２に移送する担体移送ポンプＰ２と、担体収容槽１の上方に、水平方向に移動可能に、担体を収容したコンテナＣｏを高さ方向に異なる２点で支持してコンテナＣｏの吊り上げとコンテナＣｏを傾倒させることによる荷あけを行う、コンテナ吊り上げ・傾倒機構２とを備える。【選択図】図１
2010279882.tif 000002
【特許請求の範囲】
【請求項１】
ゲル状粒子からなる担体を一時的に収容する担体収容槽と、該担体収容槽に収容された担体を生物反応槽に移送する担体移送ポンプとを備えた担体供給装置において、前記担体収容槽の上方に、水平方向に移動可能に、担体を収容したコンテナを高さ方向に異なる２点で支持してコンテナの吊り上げとコンテナを傾倒させることによる荷あけを行う、コンテナ吊り上げ・傾倒機構を配設したことを特徴とする担体供給装置。
【請求項２】
コンテナ吊り上げ・傾倒機構が、電動チェーンブロックを備えてなることを特徴とする請求項１記載の担体供給装置。
【請求項３】
担体移送ポンプに一軸偏心ねじポンプを用いてなることを特徴とする請求項１又は２記載の担体供給装置。
【請求項４】
担体収容槽の上に、担体の通過可能な金網からなる足場を敷設してなることを特徴とする請求項１、２又は３記載の担体供給装置。
【発明の詳細な説明】
【技術分野】
【０００１】
本発明は、損傷を受けやすいゲル状粒子からなる担体（以下、単に「担体」という場合がある。）の供給装置に関するもので、例えば、排水に含まれるアンモニア性窒素の処理に使用する硝化細菌を固定化したゲル状粒子からなる担体の供給に好適に用いられる担体供給装置に関するものである。
【背景技術】
【０００２】
近年、微生物をポリエチレングリコール等の高分子材料で固定化することにより、当該微生物を生物反応槽内で高濃度に保持する技術が開発されている。例えば、アンモニア性窒素を含む排水の硝化処理に有効な硝化細菌を固定化し、大きさ３ｍｍ角程度のゲル状粒子とし、これを生物反応槽に添加することにより、硝化細菌を高濃度に保つことができ、短時間でアンモニア性窒素の処理が可能となる。
【０００３】
ところで、この種のゲル状粒子からなる担体には、数ｍｍ角の形状を始めとして、種々の形状のものがあるが、いずれもゲル状であるため、移送段階等において損傷を受けやすく、これによって担体の品質が低下するという問題があった。
【０００４】
ところで、この種のゲル状粒子からなる担体の移送は、以下のように行っていた（特許文献１及び２参照）。
【０００５】
（ａ）ゲル状粒子からなる担体を収容重量５００〜１０００Ｋｇの可撓性のプラスチックシート等から形成した袋状容器に入れて、輸送車で目標の生物反応槽まで搬送し、クレーン等を使用してこの袋状容器を生物反応槽の上方に吊り上げ、しかる後、作業員が袋状容器の下部の閉めロープを解いて槽中に担体を投入する方法。
（ｂ）バキューム車の槽中にゲル状粒子からなる担体を収容し、バキューム車で目標の生物反応槽まで搬送し、しかる後、バキューム車の槽中の担体が混入した水を生物反応槽に圧送する方法。
（ｃ）ゲル状粒子からなる担体を担体収容槽に一旦収容し、この担体収容槽から担体が混入した水を羽根車式のポンプを用いて目標の生物反応槽まで移送する方法。
（ｄ）ゲル状粒子からなる担体を担体収容槽に一旦収容し、この担体収容槽から担体が混入した水を自然流下させて目標の生物反応槽まで移送する方法。
【先行技術文献】
【特許文献】
【０００６】
【特許文献１】特開平５−１５８８６号公報
【特許文献２】特開２００７−３０３４１２号公報
【発明の概要】
【発明が解決しようとする課題】
【０００７】
しかしながら、上記従来のゲル状粒子からなる担体の移送方法は、それぞれ以下の問題点を有していた。
すなわち、（ａ）の方法は、目標の生物反応槽が輸送車の搬入道路から遠くにある場合には、クレーン等を使用できないため作業性が著しく低下し、（ｂ）の方法は、バキューム車の能力に限界があり、大量輸送ができないため作業効率が悪く、システムの立ち上げに長期間を要し、（ｃ）の方法は、担体が混入した水を羽根車式のポンプを用いて目標の生物反応槽まで移送する際に、担体が損傷を受けたり、破壊されやすく、また、（ｄ）の方法は、ゲル状粒子からなる担体を担体収容槽に収容する際の作業性が悪く、かつ、担体収容槽の設置位置に制約があるという問題があった。
【０００８】
本発明は、上記従来のゲル状粒子からなる担体の移送方法の有する問題点に鑑み、上記（ｃ）のゲル状粒子からなる担体を担体収容槽に一旦収容し、この担体収容槽から担体が混入した水を担体移送ポンプを用いて目標の生物反応槽まで移送することを前提としながら、ゲル状粒子からなる担体を担体収容槽に収容する際の作業性を良好にできる担体供給装置を提供することを目的とする。
【課題を解決するための手段】
【０００９】
上記目的を達成するため、本発明の担体供給装置は、ゲル状粒子からなる担体を一時的に収容する担体収容槽と、該担体収容槽に収容された担体を生物反応槽に移送する担体移送ポンプとを備えた担体供給装置において、前記担体収容槽の上方に、水平方向に移動可能に、担体を収容したコンテナを高さ方向に異なる２点で支持してコンテナの吊り上げとコンテナを傾倒させることによる荷あけを行う、コンテナ吊り上げ・傾倒機構を配設したことを特徴とする。
【００１０】
この場合において、コンテナ吊り上げ・傾倒機構が、電動チェーンブロックを備えてなるようにすることができる。
【００１１】
また、担体移送ポンプに一軸偏心ねじポンプを用いてなるようにすることができる。
【００１２】
また、担体収容槽の上に、担体が通過可能な足場板を敷設することができる。
【発明の効果】
【００１３】
本発明の担体供給装置によれば、ゲル状粒子からなる担体を一時的に収容する担体収容槽と、該担体収容槽に収容された担体を生物反応槽に移送する担体移送ポンプとを備えた担体供給装置において、前記担体収容槽の上方に、水平方向に移動可能に、担体を収容したコンテナを高さ方向に異なる２点で支持してコンテナの吊り上げとコンテナを傾倒させることによる荷あけを行う、コンテナ吊り上げ・傾倒機構を配設することにより、コンテナの吊り上げとコンテナを傾倒させることによる荷あけを効率よく行うことができ、ゲル状粒子からなる担体を担体収容槽に収容する際の作業性を良好に行うことができるようにすることができる。
【００１４】
また、コンテナ吊り上げ・傾倒機構が、電動チェーンブロックを備えてなるようにすることにより、コンテナの吊り上げとコンテナを傾倒させることによる荷あけを一層効率よく行うことができる。
【００１５】
また、担体移送ポンプに一軸偏心ねじポンプを用いてなるようにすることにより、ゲル状粒子からなる担体が移送中に損傷を受け、担体の品質が低下することを確実に防止することができる。
【００１６】
また、担体収容槽の上に、担体が通過可能な足場板を敷設することにより、荷あけを足場板の上で行うことができ、作業者の安定した足場を確保して安全性を向上することができる。
【図面の簡単な説明】
【００１７】
【図１】本発明の担体供給装置の一実施例を示す説明図である。
【図２】同担体供給装置を示し、（ａ）は正面図、（ｂ）は側面図である。
【図３】同担体供給装置のコンテナ吊り上げ・傾倒機構の使用方法を示す説明図である。
【発明を実施するための形態】
【００１８】
以下、本発明の担体供給装置の実施の形態を、図面に基づいて説明する。
【００１９】
図１〜図３に、本発明の担体供給装置の一実施例を示す。
【００２０】
この担体供給装置は、図１に示すように、ゲル状粒子からなる担体を一時的に収容する担体収容槽１と、担体収容槽１に担体を移送するための水の供給を行う最終沈殿池Ｓ３に設けた給水ポンプＰ１と、担体収容槽１に収容された担体を生物反応槽Ｓ２に移送する担体移送ポンプＰ２と、担体収容槽１の上方に、水平方向に移動可能に、担体を収容したコンテナＣｏを高さ方向に異なる２点で支持してコンテナＣｏの吊り上げとコンテナＣｏを傾倒させることによる荷あけを行う、コンテナ吊り上げ・傾倒機構２とからその主要部を構成するようにしている。
【００２１】
この場合において、担体収容槽１には、担体分離スクリーン１１及び撹拌ブロア１２を配設し、余剰水が、担体分離スクリーン１１によって担体が分離され、排水として排水槽３にオーバーフローするようにしている。
【００２２】
排水槽３に導入された排水は、排水ポンプＰ３によって、最初沈殿池Ｓ１と生物反応槽Ｓ２の間に還流するようにするとともに、必要に応じて、排水ポンプＰ４によって、系外に排出できるようにしている。
【００２３】
ところで、ポンプＰ１、Ｐ２、Ｐ３、Ｐ４には、必要とされる機能及び能力を備えた各種ポンプを適宜使用することができるが、本実施例において、担体移送ポンプＰ２には、一軸偏心ねじポンプ（特に限定されるものではないが、例えば、兵神装備社製「ヘイシンモーノポンプ」（登録商標））を用いるようにする。
これにより、ゲル状粒子からなる担体が移送中に損傷を受け、担体の品質が低下することを確実に防止することができる。
【００２４】
また、担体収容槽１の上には、担体が通過可能な足場板４を、担体収容槽１の開口を覆うように敷設するようにしている。
足場板４は、大きさが数ｍｍ程度の担体が、損傷を受けることなく通過可能である限りにおいて、その材質等は限定されるものではないが、通常グレーチングとして用いられる、金属製の格子、エキスパンドメタル、パンチングメタル等を好適に用いることができる。
これにより、荷あけを足場板４の上で行うことができ（この場合、足場板４上に荷あけされた担体は、足場板４の目を通過して担体収容槽１に収容される。）、作業者の安定した足場を確保して安全性を向上することができる。
【００２５】
コンテナ吊り上げ・傾倒機構２は、図２に示すように、担体収容槽１の上に、形鋼を用いて組み立てられた構造体５の上部に、水平方向に移動可能に配設された移動体２１と、移動体２１に配設され、担体を収容したコンテナＣｏを索条２５を介して支持する電動チェーンブロック２２（コンテナＣｏを高さ方向に異なる２点で支持する一方側）と、移動体２１に配設され、担体を収容したコンテナＣｏを索条２６ａを介して支持する固定支持部２３ａ（コンテナＣｏを高さ方向に異なる２点で支持する他方側）と、担体を収容したコンテナＣｏを設置、保持する籠状のコンテナ保持具２４とからなる。
【００２６】
ここで、電動チェーンブロック２２に代えて、手動チェーンブロック等の公知の巻上機を使用することもできる。
【００２７】
また、担体を収容したコンテナＣｏを索条２６ａを介して支持する固定支持部２３ａ（コンテナＣｏを高さ方向に異なる２点で支持する他方側）は、これに代えて、構造体５に配設し、担体を収容したコンテナＣｏを索条２６ｂを介して支持する固定支持部２３ｂを用いることもできる。
【００２８】
また、コンテナ保持具２４は、索条２５、２６ａ（２６ｂ）を掛けてこのコンテナ保持具２４を介して担体を収容したコンテナＣｏを支持することができるように、外側面のそれぞれ対向する２箇所に上部支持部２４ａ及び下部支持部２４ｂを配設するとともに、コンテナＣｏの出し入れを容易に行うことができるように、上部及び側方が開放できる蓋部材を揺動可能に設ける構造としている。
なお、下部支持部２４ｂは、これに代えて、コンテナ保持具２４の下端部に配設した下部支持部２４ｃを用いることもできる。
【００２９】
また、コンテナＣｏは、少なくとも、上部を開放可能にしたものであれば、合成樹脂シート、合成樹脂成形品等からなる任意の容器を使用することができる。
【００３０】
次に、この担体供給装置のコンテナ吊り上げ・傾倒機構２の使用方法について説明する。
【００３１】
まず、図３（ａ）に示すように、担体を収容したコンテナＣｏの搬入場所において、コンテナ保持具２４の蓋部材を開放操作してコンテナ保持具２４の上部及び側方を開放し、コンテナ保持具２４内に、担体を収容したコンテナＣｏを設置した後、コンテナ保持具２４の蓋部材を閉鎖操作して担体を収容したコンテナＣｏを保持するようにする。
【００３２】
次に、図３（ｂ）に示すように、担体を収容したコンテナＣｏを保持したコンテナ保持具２４の上部支持部２４ａに索条２５を掛け、電動チェーンブロック２２を操作して、担体を収容したコンテナＣｏを保持したコンテナ保持具２４を吊り上げる。
このとき、固定支持部２３ａとコンテナ保持具２４の下部支持部２４ｃ（又は下部支持部２４ｂ）との間に索条２６ａを掛けて支持するようにする。
なお、索条２６ａを介する支持は、図３（ｃ）の行程の後で行うこともでき、また、固定支持部２３ａに代えて、固定支持部２３ｂを用い、索条２６ｂを介して支持することもできる。
【００３３】
次に、図３（ｃ）に示すように、移動体２１を水平方向に移動操作して、担体を収容したコンテナＣｏを保持したコンテナ保持具２４を、担体収容槽１の上方に移動させる。
【００３４】
次に、図３（ｄ）に示すように、固定支持部２３ａとコンテナ保持具２４の下部支持部２４ｃとの間に索条２６ａを掛けて支持した状態で、コンテナ保持具２４の上部支持部２４ａの位置が下がるように電動チェーンブロック２２を操作する。
これにより、担体を収容したコンテナＣｏを保持したコンテナ保持具２４を傾倒させることにより、担体の荷あけを行うことができる。
この荷あけは、足場板４の上で行うことができ（この場合、足場板４上に荷あけされた担体は、足場板４の目を通過して担体収容槽１に収容される。）、作業者の安定した足場を確保して安全性を向上することができる。
【００３５】
次に、図３（ｅ）に示すように、固定支持部２３ａとコンテナ保持具２４の下部支持部２４ｃとの間に索条２６ａを掛けて支持した状態（コンテナ保持具２４の上端が、足場板４上に当接して、支持された状態）で、索条２５を上部支持部２４ａから下部支持部２４ｂに掛け替えるようにする。
【００３６】
次に、図３（ｆ）に示すように、コンテナＣｏを保持したコンテナ保持具２４を吊り上げるように電動チェーンブロック２２を操作することによって、コンテナＣｏを保持したコンテナ保持具２４の上下を逆転させることにより、担体の荷あけを安全に行うことができる。
その後、さらに、電動チェーンブロック２２を操作することによって、コンテナＣｏを保持したコンテナ保持具２４を吊り上げ、移動体２１を水平方向に移動操作して、コンテナＣｏを保持したコンテナ保持具２４を、コンテナＣｏの搬出場所（担体を収容したコンテナＣｏの搬入場所）に移動させる。
【００３７】
以下、同様の操作を繰り返すことによって、必要量の担体を担体収容槽１に収容するようにする。
【００３８】
そして、これと併せて、ポンプＰ１、Ｐ２、Ｐ３、Ｐ４を稼働することによって、担体収容槽１に収容された担体を生物反応槽Ｓ２に移送するようにする。
この場合、担体移送ポンプＰ２に、一軸偏心ねじポンプを用いるようにしているので、ゲル状粒子からなる担体が移送中に損傷を受け、担体の品質が低下することを防止することができる。
【００３９】
以上、本発明の担体供給装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００４０】
本発明の担体供給装置は、ゲル状粒子からなる担体を担体収容槽に収容する際の作業性を良好にできることから、ゲル状粒子からなる担体を担体収容槽に一旦収容し、この担体収容槽から担体が混入した水を担体移送ポンプを用いて目標の生物反応槽まで移送する用途に好適に用いることができる。
【符号の説明】
【００４１】
１    担体収容槽
１１  担体分離スクリーン
１２  撹拌ブロア
２    コンテナ吊り上げ・傾倒機構
２１  移動体
２２  電動チェーンブロック（巻上機）
２３ａ  固定支持部
２３ｂ  固定支持部
２４  コンテナ保持具
２４ａ  上部支持部
２４ｂ  下部支持部
２４ｃ  下部支持部
２５  索条
２６ａ  索条
２６ｂ  索条
３    排水槽
４    足場板
５    構造体
Ｃｏ  コンテナ
Ｐ１  給水ポンプ
Ｐ２  担体移送ポンプ
Ｐ３  排水ポンプ
Ｐ４  排水ポンプ
Ｓ１  最初沈殿池
Ｓ２  生物反応槽
Ｓ３  最終沈殿池
【図１】
2010279882.tif 000003
【図２】
2010279882.tif 000004
【図３】
2010279882.tif 000005